(57)【要約】【課題】  通常制御モード中に誤って検査モードとなってしまう誤動作が発生するおそれのない電子制御装置及びこれを用いた遠隔操作装置を提供する。【解決手段】  操作部５１の操作に応じた制御信号を送信情報として対象機器に送信し前記対象機器を遠隔操作する制御部４１と、制御部４１と電気的に接続される電極部４２とを有する回路基板４を備えた遠隔操作装置であって、制御部４１は、パルス発生器Ｐから発せられる検査用パルス信号が電極部４２に所定時間入力されたとき、操作部５１による通常操作可能な操作（制御）モードから制御部４１の機能を検査するための検査モードに移行するものである。【選択図】  図３
2006279620.tif 000002
【特許請求の範囲】
【請求項１】
被制御部材を制御する制御部を有する電子制御装置であって、
前記制御部は、パルス発生器から発生される所定のパルス信号が所定時間入力されたとき、前記被制御部材を制御する制御モードから所定の検査を行う検査モードに移行してなることを特徴とする電子制御装置。
【請求項２】
前記制御部は、前記所定時間の経過後に、前記パルス信号が連続して入力されている間は、前記検査モードを継続してなることを特徴とする請求項１記載の電子制御装置。
【請求項３】
前記制御部は、前記パルス信号とは異なる他のパルス信号が所定時間入力されたとき、前記検査モードとは異なる他の検査モードに移行してなることを特徴とする請求項１記載の電子制御装置。
【請求項４】
操作部の操作に応じた制御信号を送信情報として対象機器に送信し前記対象機器を遠隔操作する制御部を少なくとも備えた遠隔操作装置であって、
前記制御部は、パルス発生器から発せられる所定のパルス信号が所定時間入力されたとき、前記操作部による通常操作可能な操作モードから前記制御部の所定の機能の検査を行う検査モードに移行してなることを特徴とする遠隔操作装置。
【請求項５】
前記制御部は、前記所定時間の経過後に、前記パルス信号が連続して入力されている間は、前記検査モードを継続してなることを特徴とする請求項４記載の遠隔操作装置。
【請求項６】
前記制御部は、前記パルス信号とは異なる他のパルス信号が所定時間入力されたとき、前記検査モードとは異なる他の検査モードに移行してなることを特徴とする請求項４記載の遠隔操作装置。
【発明の詳細な説明】
【技術分野】
【０００１】
本発明は、例えば制御部を備えた電子制御装置、及びこの電子制御装置の組み込まれたリモートコントローラのごとき遠隔操作装置に関するものである。
【背景技術】
【０００２】
従来、この種のリモートコントローラである遠隔操作装置は、空気調和機等の制御機器（対象機器）の制御に使用されるものであり、略箱型形状からなるケース体と、このケース体の前面に貼り付けられる表示パネルと、前記ケース体内に組み込まれる液晶パネル、操作スイッチ等の弾性部材や回路基板等の内機部品とから主に構成されている。
【０００３】
前記回路基板には、前記操作スイッチの操作に応じて空調管理データの生成及び送信、さらに前記液晶パネルにおける表示部での前記空調管理データの表示を行わせるマイクロコンピュータ等から構成される制御部や、前記空調管理データの信号を赤外線通信によって送信する赤外線発光ダイオード、並びに前記リモートコントローラが決められた機能に設定されているか否かの検査を行うための検査用端子（検査用電極端子）とが実装されている。そして、かかる回路基板を有する前記リモートコントローラの検査を行うにあたっては、前記検査を行う作業者が、所定の電圧値（リモートコントローラ通常動作時の電圧値とは異なる電圧値）を前記検査用端子に印加することで、前記制御部は、前記操作スイッチで操作可能な通常操作モード（通常制御モード）から前記機能の設定が正しくなされているかどうかの検査を行うための検査モードへと切り替えるような制御を行い、この検査モード状態への移行によって前記作業者は、前記リモートコントローラが決められた機能に設定されているか否かの検査作業を行っていた（例えば下記特許文献１参照）。
【特許文献１】特開平６−１６９４９４号
【発明の開示】
【発明が解決しようとする課題】
【０００４】
ところで、特許文献１記載の遠隔操作装置では、その回路基板に遠隔操作装置が決められた機能に設定されているか否かの検査を行うための検査用電極端子を設けた構成であるため、例えばユーザーが遠隔操作装置を用いて前記空気調和機等を前記通常操作モードにより遠隔操作している際に、外部からのノイズ等が電圧量として前記検査用電極端子に作用してしまう場合があった。
【０００５】
従って、遠隔操作装置が本来は、前記通常操作モード（前記通常制御モード）状態を維持しなければならないにもかかわらず、前述したように前記検査用電極端子に前記ノイズによる電圧が印加されてしまった場合には、前記制御部は、遠隔操作装置を勝手に（前記ユーザーが知らない間に）前記通常制御モードから検査モードへと移行するような制御を行ってしまい、これにより前記ユーザーは一時的に前記通常制御モードでの操作を行うことができない状態となり、かかる問題点を解消することが望まれていた。
そこで本発明は、前述の課題に対して対処するため、通常制御モード中に誤って検査モードとなってしまう誤動作が発生するおそれのない電子制御装置及びこれを用いた遠隔操作装置の提供を目的とするものである。
【課題を解決するための手段】
【０００６】
本発明は、被制御部材を制御する制御部を有する電子制御装置であって、前記制御部は、パルス発生器から発生される所定のパルス信号が所定時間入力されたとき、前記被制御部材を制御する制御モードから所定の検査を行う検査モードに移行してなることを特徴とする。
【０００７】
また本発明は、前記制御部は、前記所定時間の経過後に、前記パルス信号が連続して入力されている間は、前記検査モードを継続してなることを特徴とする。
【０００８】
また本発明は、前記制御部は、前記パルス信号とは異なる他のパルス信号が所定時間入力されたとき、前記検査モードとは異なる他の検査モードに移行してなることを特徴とする。
【０００９】
また本発明は、操作部の操作に応じた制御信号を送信情報として対象機器に送信し前記対象機器を遠隔操作する制御部を少なくとも備えた遠隔操作装置であって、前記制御部は、パルス発生器から発せられる所定のパルス信号が所定時間入力されたとき、前記操作部による通常操作可能な操作モードから前記制御部の所定の機能の検査を行う検査モードに移行してなることを特徴とする。
【００１０】
また本発明は、前記制御部は、前記所定時間の経過後に、前記パルス信号が連続して入力されている間は、前記検査モードを継続してなることを特徴とする。
【００１１】
また本発明は、前記制御部は、前記パルス信号とは異なる他のパルス信号が所定時間入力されたとき、前記検査モードとは異なる他の検査モードに移行してなることを特徴とする。
【発明の効果】
【００１２】
本発明によれば、初期の目的を達成でき、通常制御モード中に誤って検査モードとなってしまう誤動作が発生するおそれのない電子制御装置及びこれを用いた遠隔操作装置を提供できる。
【発明を実施するための最良の形態】
【００１３】
以下、本発明の実施形態である電子制御装置及び電子制御装置を備えた遠隔操作装置を添付図面に基づき説明する。
【００１４】
図１，図２において、本実施形態による遠隔操作装置は、ベース部材（ケース体）１と、このベース部材１の前面側に配置される表示板２と、ベース部材１の背後を覆うカバー部材３と、カバー部材３に支持される回路基板４と、回路基板４とベース部材１との間に配置され後述する押釦部（操作部）が表示板２の前面に露出する弾性部材５と、表示板２と回路基板４との間に配置される液晶表示素子６と、この液晶表示素子６と回路基板４とを導通接続する導電部材７とから構成される。なお、この場合、ベース部材１はカバー部材３と組み合わされて回路基板４や弾性部材５、液晶表示素子６等の内機部品を収納するハウジングを構成する。
【００１５】
ベース部材１は、例えば白色系の合成樹脂からなり、略断面「コ」字状の箱型形状に成形され、弾性部材５の後述する各押釦部が貫通する複数の貫通孔１１と、表示板２を収納する凹部１２と、液晶表示素子６を収納する収納壁１３と、この収納壁１３の開口幅よりも幅狭な開口幅を有し液晶表示素子６前面を露出する窓部１４とを備えている。
【００１６】
表示板２は、矩形シート状に形成され、運転／停止，温度設定，風向，風量，及び運転切換（暖房／冷房／除湿）等の文字からなる意匠部２１と、この意匠部２１の背景となる背景部２２とを有している。なお、２３はベース部材１の窓部１４を介して液晶表示素子６を臨ませる表示窓部であり、２４はベース部材１の貫通孔１１に対応する表示板２箇所に形成される孔部である。
【００１７】
意匠部２１，背景部２２は、ＰＣ等の透明材料からなる基板２５の背面にスクリーン印刷等の手段を用いて印刷形成された印刷層からなり、意匠部２１は例えば白色系インクにより形成され、背景部２２は例えばブルー系インクにより形成されている。また本実施形態では、表示窓部２３に対応する基板２５の背面箇所は背景部２２となる印刷層が抜き印刷されており、これによりベース部材１を通じて液晶表示素子６を視認し得る透視部２６が形成されている。なお、背景部２２とベース部材１との間には、図示しない接着層が介在しており、
この接着層により表示板２がベース部材１に接着固定される。
【００１８】
カバー部材３は、例えば白色系の合成樹脂からなり、ベース部材１側が開口するケース体に成形され、回路基板４側に突出する撓み防止リブ３１を備えている。なお、３２は、回路基板４に実装される後述する制御部を収納するための空間部であり、３３は、回路基板４の後述する電極部に対応（対向）するカバー部材３箇所に形成された貫通孔からなる孔部であり、この孔部３３は空間部３２に連通している。かかる孔部３３には、後述する検査モードへの移行時にプローブ等が挿通され、前記プローブの先端を前記電極部に当接させることができる。また、前記プローブが孔部３３に挿入されていない場合、孔部３４の外側（回路基板４とは反対側）には、遠隔操作装置に電源を供給するための電池を収納する電池蓋（図示せず）が装着され、この電池蓋のカバー部材３への装着により孔部３３を塞ぐ構成となっている。
【００１９】
回路基板４は、例えばガラスエポキシ系基材に配線パターン（図示せず）を施した硬質回路基板からなり、前記押釦部の操作（通常制御モード）に応じて空調管理データの生成及び送信、また液晶表示素子６における表示部（図示せず）での前記空調管理データの表示を行わせるマイクロコンピュータ等から構成される制御部４１や例えば抵抗、コンデンサ等の各種回路部品（図示せず）、並びに遠隔操作装置が決められた機能に設定されているか否かの検査（回路基板４の検査）を行うための電極端子部や電極接点部等からなる検査用の電極部４２が前記配線パターンに導通接続されている。
【００２０】
この場合、制御部４１は、カバー部材３の空間部３２内に位置するように回路基板４上に搭載され、電極部４２は、図２中、空間部３２内において制御部４１の下方に位置している。そして、本実施形態では、後述するパルス発生器から発せられる検査用パルス信号を、一定時間、電極部４２に印加したとき、前記通常制御モードから回路基板４の検査を行う検査モードへと移行するようになっている。なお、４３は、図示しない空気調和機（対象機器）に前記空調管理データの信号を赤外線通信によって送信する赤外線発光ダイオードである。
【００２１】
弾性部材５は、シリコンゴム等の樹脂材料からなり、ベース部材１の貫通孔１１と表示板２の孔部２４を貫通して表示板２前方に突出する複数の押釦部５１を備えており、この場合、押釦部５２は利用者（ユーザー）による外部からの押圧操作が可能な操作部を構成する。
【００２２】
各押釦部５２に対応する表示板２箇所には意匠部２１がそれぞれ位置するようになっており、これら意匠部２１は表示情報（所定の情報）として押釦部５２の操作種別を示すものである。例えば、「運転／停止」なる意匠部２１に対応（隣接）する押釦部５２を押すことにより、制御部４１は、その操作状態（運転か停止のいずれを選択したか）を前記表示情報として液晶表示素子６に表示させるような制御を行い、この表示情報が表示窓部２３を通じて視認されると共に、赤外線発光ダイオード４３から前記空気調和機の運転または停止を制御するための空調管理データである送信信号を前記空気調和機の受信部に送信するような制御を行い、この送信信号を前記受信部が受信することによりその運転または停止状態が切り替わるようになっている。
【００２３】
次に、回路基板４における制御部４１の制御プログラムによって行われる、前記通常制御モードから前記検査モードへの移行制御を図３に示すブロック図に基づいて説明する。図３において、例えば水晶発振子やセラミック発振子を利用したパルス発生器Ｐから発せられる所定周波数（ある固定された値の周波数）の検査用パルス信号が、電極部４２を介して制御部４１に入力されると、制御部４１は、前記検査用パルス信号が所定時間（例えば３秒間）連続して入力されているか否かを判断して、前記所定時間、連続して入力されていたと判断した場合には、前記通常制御モードから前記検査モードへと移行するような制御を行う。
【００２４】
ここで、パルス発生器Ｐからの前記検査用パルス信号を制御部４１に入力する手段の一例としては、前記プローブをカバー部材３の孔部３４に挿入するとともに、前記プローブの先端を電極部４２に当接させ、この際、前記プローブにパルス発生器Ｐからの前記検査用パルス信号を入力し、この入力信号を電極部４２を介して制御部４１に入力する手段がある。
【００２５】
なお、制御部４１は、前述した所定時間経過後に、前記検査用パルス信号が電極部４２にそのまま連続して入力されていると判断した場合には、電極部４２にパルスが入力されている期間だけ前記検査モードを維持（継続）し、その後、電極部４２にパルス入力が行われなくなった時点で前記検査モードを終了させるような制御を行う。
【００２６】
かかる実施形態によれば、パルス発生器Ｐによって、ある固定された値の周波数からなる前記検査用パルス信号が、検査用に設けられた電極部４２を介して制御部４１に入力されると、制御部４１は、前記検査用パルス信号が所定時間、連続して入力されているか否かを判断して、前記所定時間、連続して入力されていたと判断した場合には、前記通常制御モードから前記検査モードへと移行するような制御を行うものである。従って、電極部４２に所定時間の固定パルス入力があったときだけ前記検査モードへの移行が可能となるため、従来のように外部からのノイズが電極部に作用してしまった場合、あるいはユーザーが故意に電極部をショート（短絡）させてしまった場合であっても、前記通常制御モード状態が維持されることになり、通常制御モード状態から検査モード状態に切り替わるのが防止されるので、誤って検査モードとなってしまう誤作動の発生するおそれのない信頼性の高い遠隔操作装置を提供することができる。
【００２７】
また本実施形態では、ある固定された値の単一周波数からなる検査用パルス信号をパルス発生器Ｐから発させ、制御部４１は前記検査用パルス信号が電極部４２に所定時間入力されたとき検査モードに移行するような制御を行うものであったが、例えば２種類の異なる周波数である第１の検査用パルス信号、または第２の検査用パルス信号をパルス発生器Ｐからそれぞれ発生できるようにし、制御部４１は、前記第１の検査用パルス信号が電極部４２に所定時間入力されたとき、前記第１の検査用パルス信号に対応する第１の検査モードに移行するような制御を行い、前記第２の検査用パルス信号が電極部４２に所定時間入力されたとき、前記第２の検査用パルス信号に対応する第２の検査モードに移行するような制御を行うようにしてもよい。なお、このようにパルス発生器Ｐから発せられる周波数を２種類ではなく、３種類以上とすることも可能である。
【００２８】
また、本実施形態の場合、制御部４１は、前記所定時間経過後に検査用パルス信号が電極部４２にそのまま連続して入力されていると判断した場合には、電極部４２にパルスが入力されている間だけ検査モードを維持し、電極部４２にパルス入力が行われなくなった時点で検査モードを終了させるような制御を行うものであったが、例えば制御部４１は、電極部４２に前記パルス入力が行われなくなったことを判断した後であっても、前記検査モードを一定時間の間、維持するような制御を行うことも可能である。
【００２９】
なお、本実施形態では、リモートコントローラのごとき遠隔操作装置内に組み込まれた回路基板４に前記リモートコントローラを制御する制御部４１と電極部４２とを設け、電極部４２に前記検査用パルス信号が所定時間以上入力されたとき、制御部４１は前記通常操作モードから前記検査モードに移行するような制御を行うものであったが、例えば本実施形態にて採用した回路基板を前記リモートコントローラ以外の所定の被制御部材を制御するためのインターフェイス回路用の電子制御装置として適用して、かかるインターフェイス回路用の電子制御装置に前記被制御部材を制御する制御部４１と、この制御部４１に配線パターンを介して導通接続される電極部４２とを設け、制御部４１は、電極部４２に前記検査用パルス信号が前記所定時間入力されたとき、前記被制御部材を制御する通常制御モードから所定の検査を行う検査モードへと移行するようにしてもよい。
【図面の簡単な説明】
【００３０】
【図１】本発明の実施形態による遠隔操作装置の正面図である。
【図２】図１のＡ−Ａ断面図である。
【図３】同実施形態による検査モードへの移行制御を示すブロック図である。
【符号の説明】
【００３１】
１  ベース部材
２  表示板
３  カバー部材
４  回路基板
５  弾性部材
６  液晶表示素子
７  導電部材
３２  空間部
３３  孔部
４１  制御部
４２  電極部
４３  赤外線発光ダイオード
Ｐ  パルス発生器
【図１】
2006279620.tif 000003
【図２】
2006279620.tif 000004
【図３】
2006279620.tif 000005